(57)【要約】【課題】本発明は、機械による開封しかできないセキュリティ性の高い抽選券（くじ）であって、開封する順番で抽選券としての価値が変化するようなシステムに適応できる抽選券およびその製造方法を提供することを課題とするものである。【解決手段】単層又は複数層からなる厚さ１０μｍ以上の透明基材の片面に、少なくとも低融点金属薄膜層と透明性を有する保護層とが順次設けてあり、他面に、少なくとも抽選情報層と反射隠蔽層とが順次設けてあり、該抽選情報層には抽選に用いられる抽選情報が蛍光材料を含有する有色インクで記録されており、前記低融点金属薄膜層は保護層がある側から抽選に用いられる情報が視認不可能とする隠蔽性を有していることを特徴とする抽選券およびその製造方法である。【選択図】図２
2004090582.tif 000002
【特許請求の範囲】
【請求項１】
単層又は複数層からなる厚さ１０μｍ以上の透明基材の片面に、少なくとも低融点金属薄膜層と透明性を有する保護層とが順次設けてあり、他面に、少なくとも抽選情報層と反射隠蔽層とが順次設けてあり、該抽選情報層には抽選に用いられる抽選情報が蛍光材料を含有する有色インクで記録されており、前記低融点金属薄膜層は保護層がある側から抽選情報が視認不可能とする隠蔽性を有していることを特徴とする抽選券。
【請求項２】
前記透明基材の抽選情報層を設ける面が、インクによる画像情報の記録に関わる受像適性を有しており、抽選情報を該インクで記録可能であることを特徴とする請求項１記載の抽選券。
【請求項３】
前記反射隠蔽層は、光反射性を有し、さらに抽選情報を該反射隠蔽層がある側から視認不可能とする隠蔽性を有していることを特徴とする請求項１または２記載の抽選券。
【請求項４】
前記蛍光材料を含有する有色インクは、蛍光材料と色材からなる偽造防止用インクであって、該インクを用いてインクジェット方式によって、抽選情報が記録されていることを特徴とする請求項１〜３のいずれか１項に記載の抽選券。
【請求項５】
前記透明基材の他面に、抽選情報層、反射隠蔽層、裏面隠蔽層とを順次設けた構成であって、該裏面隠蔽層は抽選情報を反射隠蔽層がある側から視認不可能とする隠蔽性を有していることを特徴とする請求項１〜４のいずれか１項に記載の抽選券。
【請求項６】
前記透明基材の他面に、受像層、抽選情報層、反射隠蔽層とを順次設けた構成であって、該受像層は抽選情報の印字適性を有していることを特徴とする請求項１〜５のいずれか１項に記載の抽選券。
【請求項７】
前記透明基材の他面に、受像層、抽選情報層、反射隠蔽層、裏面隠蔽層とを順次設けた構成であることを特徴とする請求項１〜６のいずれか１項に記載の抽選券。
【請求項８】
前記低融点金属薄膜層は、前記保護層を介して加熱されることにより少なくとも一部が溶融して隠蔽性を消失し、保護層がある側から抽選情報が視認可能となることを特徴とする請求項１〜７のいずれか１項に記載の抽選券。
【請求項９】
単層又は複数層からなる厚さ１０μｍ以上の透明基材の片面に、少なくとも低融点金属薄膜層と透明性を有する保護層を順次設ける工程と、透明基材の他面に、少なくとも抽選情報層と反射隠蔽層を順次設ける工程とからなることを特徴とする抽選券の製造方法。
【請求項１０】
単層又は複数層からなる厚さ１０μｍ以上の透明基材の片面に、少なくとも低融点金属薄膜層と透明性を有する保護層を順次設ける工程（１）と、プラスチックシートからなる基材の片面に、少なくとも抽選情報層と反射隠蔽層を順次設ける工程（２）と、前記工程（１）で得られる隠蔽シートの透明基材側を前記工程（２）で得られる抽選シートの基材上に貼り合わせる工程からなることを特徴とする抽選券の製造方法。
【請求項１１】
単層又は複数層からなる厚さ１０μｍ以上の透明基材の片面に、少なくとも低融点金属薄膜層と透明性を有する保護層を順次設ける工程（１）と、プラスチックシートからなる基材の片面に抽選情報層を設け、反対面に反射隠蔽層を設ける工程（２）と、前記工程（１）で得られる隠蔽シートの透明基材側を前記工程（２）で得られる抽選シートの抽選情報層側に貼り合わせる工程からなることを特徴とする抽選券の製造方法。
【請求項１２】
単層又は複数層からなる厚さ１０μｍ以上の透明基材の片面に、少なくとも低融点金属薄膜層と透明性を有する保護層を順次設ける工程（１）と、紙等の不透明性を有する基材の片面に抽選情報層を設ける工程（２）と、前記工程（１）で得られる隠蔽シートの透明基材側を前記工程（２）で得られる抽選シートの抽選情報層側に貼り合わせる工程からなることを特徴とする抽選券の製造方法。
【請求項１３】
請求項９記載の抽選券の製造方法の透明基材の他面に、少なくとも低融点金属薄膜層と透明性を有する保護層を順次設ける工程において、透明基材の少なくとも抽選情報を記録する面に、インクによる画像情報の記録に関わる受像適性を有し、抽選情報を該インクで記録可能な透明性を有する受像層が設けられていることを特徴とする抽選券の製造方法。
【請求項１４】
請求項１０または１１記載の抽選券の製造方法において、前記抽選シートが、プラスチックからなる基材の少なくとも抽選情報を記録する面に、インクによる画像情報の記録に関わる受像適性を有し、抽選情報を該インクで記録可能な透明性を有する受像層が設けられていることを特徴とする抽選券の製造方法。
【請求項１５】
請求項１２記載の抽選券の製造方法において、前記抽選シートが、不透明性を有する基材の少なくとも抽選情報を記録する面に、インクによる画像情報の記録に関わる受像適性を有し、抽選情報を該インクで記録可能な透明性を有する受像層が設けられていることを特徴とする抽選券の製造方法。
【請求項１６】
前記抽選シートは、不透明を有する基材とインク層との間に光反射層が設けられており、前記インク層の方向に光を反射することを特徴とする請求項１５記載の抽選券の製造方法。
【請求項１７】
前記不透明基材は、該基材の少なくとも一部を隠蔽する不透明性を発揮する部分を有することを特徴とする請求項１５または１６のいずれか１項に記載の抽選券の製造方法。
【請求項１８】
前記インクによる画像情報の記録に関わる受像適性は、インクジェット方式による記録の受像適性であることを特徴とする請求項１３〜１７のいずれか１項に記載の抽選券の製造方法。
【発明の詳細な説明】
【０００１】
【発明の属する技術分野】
本発明は、抽選に用いる番号類を隠蔽した抽選券（宝くじ等）、秘密情報を隠蔽したカード（プリペイド式テレホンカード等）の隠蔽部を除去すると隠蔽した情報が出てくる抽選券、カードに関するものであり、特に、機械にかけることによって初めて隠蔽層が除去できる抽選券、カードであって、ゲーム性を有する抽選券においては、追加でさらに先のゲームにチャレンジできる機能を有する抽選券およびその製造方法に関する。
【０００２】
【従来の技術】
隠蔽層で剥離可能な状態に隠蔽してなるくじ付き印刷物は、例えば、アルミ粉を用いたシルバー色のゴム系隠蔽インクを用いて、抽選情報部や秘密情報部を隠蔽し、誰でもがその場で抽選券（くじ）の情報をコイン等で削って情報を取り出していた。これは抽選情報が固定されていて既に当たりはずれが定まっており、その確認のための開封（隠蔽層除去）を利用者がおこなうものである。
従来のくじの構成では、人間の手で簡単に開封できるという利便性もあったが、削る順番で抽選券の価値が変化するようなシステムに対しては、削っておいてまた隠蔽する等の不正が比較的容易にできるため使用できなかった。
【０００３】
【発明が解決しようとする課題】
本発明は、上記の従来の問題点を解決するためになされたものであって、機械による開封しかできないセキュリティ性の高い抽選券（くじ）であって、開封する順番で抽選券としての価値が変化するようなシステムに適応できる抽選券およびその製造方法を提供することを課題とするものである。
【０００４】
【課題を解決するための手段】
上記課題を解決するために、請求項１に係る発明は、単層又は複数層からなる厚さ１０μｍ以上の透明基材の片面に、少なくとも低融点金属薄膜層と透明性を有する保護層とが順次設けてあり、他面に、少なくとも抽選情報層と反射隠蔽層とが順次設けてあり、該抽選情報層には抽選に用いられる抽選情報が蛍光材料を含有する有色インクで記録されており、前記低融点金属薄膜層は保護層がある側から抽選情報が視認不可能とする隠蔽性を有していることを特徴とする抽選券である。
【０００５】
また、請求項２に係る発明は、請求項１記載の抽選券において、前記透明基材の抽選情報層を設ける面が、インクによる画像情報の記録に関わる受像適性を有しており、抽選情報を該インクで記録可能であることを特徴とする。
【０００６】
また、請求項３に係る発明は、請求項１または２記載の抽選券において、前記反射隠蔽層は、光反射性を有し、さらに抽選情報を該反射隠蔽層がある側から視認不可能とする隠蔽性も有していることを特徴とする。
【０００７】
また、請求項４に係る発明は、請求項１〜３のいずれか１項に記載の抽選券において、前記蛍光材料を含有する有色インクは、蛍光材料と色材からなる偽造防止用インクであって、該インクを用いてインクジェット方式によって、抽選情報が記録されていることを特徴とする。
【０００８】
また、請求項５に係る発明は、請求項１〜４のいずれか１項に記載の抽選券において、前記透明基材の他面に、抽選情報層、反射隠蔽層、裏面隠蔽層とを順次設けた構成であって、該裏面隠蔽層は抽選情報を反射隠蔽層がある側から視認不可能とする隠蔽性を有していることを特徴とする。
【０００９】
また、請求項６に係る発明は、請求項１〜５のいずれか１項に記載の抽選券において、前記透明基材の他面には、受像層、抽選情報層、反射隠蔽層とを順次設けた構成であって、該受像層は抽選情報の印字適性を有していることを特徴とする。
【００１０】
また、請求項７に係る発明は、請求項１〜６のいずれか１項に記載の抽選券において、前記透明基材の他面には、受像層、抽選情報層、反射隠蔽層、裏面隠蔽層とを順次設けた構成であることを特徴とする。
【００１１】
また、請求項８に係る発明は、請求項１〜７のいずれか１項に記載の抽選券において、前記低融点金属薄膜層は、前記保護層を介して加熱されることにより少なくとも一部が溶融して隠蔽性を消失し、保護層がある側から抽選に用いられる情報が視認可能となることを特徴とする。
【００１２】
また、請求項９に係る発明は、単層又は複数層からなる厚さ１０μｍ以上の透明基材の片面に、少なくとも低融点金属薄膜層と透明性を有する保護層を順次設ける工程と、透明基材の他面に、少なくとも抽選情報層と反射隠蔽層を順次設ける工程とからなることを特徴とする抽選券の製造方法である。
【００１３】
また、請求項１０に係る発明は、単層又は複数層からなる厚さ１０μｍ以上の透明基材の片面に、少なくとも低融点金属薄膜層と透明性を有する保護層を順次設ける工程（１）と、プラスチックシートからなる基材の片面に、少なくとも抽選情報層と反射隠蔽層を順次設ける工程（２）と、前記工程（１）で得られる隠蔽シートの透明基材側を前記工程（２）で得られる抽選シートの基材上に貼り合わせる工程からなることを特徴とする抽選券の製造方法である。
【００１４】
また、請求項１１に係る発明は、単層又は複数層からなる厚さ１０μｍ以上の透明基材の片面に、少なくとも低融点金属薄膜層と透明性を有する保護層を順次設ける工程（１）と、プラスチックシートからなる基材の片面に抽選情報層を設け、反対面に反射隠蔽層を設ける工程（２）と、前記工程（１）で得られる隠蔽シートの透明基材側を前記工程（２）で得られる抽選シートの抽選情報層側に貼り合わせる工程からなることを特徴とする抽選券の製造方法である。
【００１５】
また、請求項１２に係る発明は、単層又は複数層からなる厚さ１０μｍ以上の透明基材の片面に、少なくとも低融点金属薄膜層と透明性を有する保護層を順次設ける工程（１）と、紙等の不透明性を有する基材の片面に抽選情報層を設ける工程（２）と、前記工程（１）で得られる隠蔽シートの透明基材側を前記工程（２）で得られる抽選シートの抽選情報層側に貼り合わせる工程からなることを特徴とする抽選券の製造方法である。
【００１６】
また、請求項１３に係る発明は、請求項９記載の抽選券の製造方法の透明基材の他面に、少なくとも抽選情報層と反射隠蔽層を順次設ける工程において、透明基材の少なくとも抽選情報を記録する面に、インクによる画像情報の記録に関わる受像適性を有し、抽選情報を該インクで記録可能な透明性を有する受像層が設けことを特徴とする抽選券の製造方法である。
【００１７】
また、請求項１４に係る発明は、請求項１０または１１記載の抽選券の製造方法において、前記抽選シートが、プラスチックからなる基材の少なくとも抽選情報を記録する面に、インクによる画像情報の記録に関わる受像適性を有し、抽選情報を該インクで記録可能な透明性を有する受像層が設けられていることを特徴とする。
【００１８】
また、請求項１５に係る発明は、請求項１２記載の抽選券の製造方法において、前記抽選シートが、不透明性を有する基材の少なくとも抽選情報を記録する面に、インクによる画像情報の記録に関わる受像適性を有し、抽選情報を該インクで記録可能な透明性を有する受像層が設けられていることを特徴とする抽選券の製造方法である。
【００１９】
また、請求項１６に係る発明は、請求項１５記載の抽選券の製造方法において、前記抽選シートは、不透明を有する基材とインク層との間に光反射層が設けられており、前記インク層の方向に光を反射することを特徴とする。
【００２０】
また、請求項１７に係る発明は、請求項１５または１６記載の抽選券の製造方法において、前記不透明基材は、該基材の少なくとも一部を隠蔽する不透明性を発揮する部分を有することを特徴とする。
【００２１】
また、請求項１８に係る発明は、請求項１３〜１７のいずれか１項に記載の抽選券の製造方法において、前記インクによる画像情報の記録に関わる受像適性は、インクジェット方式による記録の受像適性であることを特徴とする。
【００２２】
【発明の実施の形態】
以下に、本発明の実施の形態を図面に基づいて詳細に説明する。
図１は、本発明による抽選券の一実施例を示す平面図であり、図２は図１の抽選券のＸ−Ｘ面の断面図であり、図３は図１の抽選券の低融点金属薄膜層の一部を溶融破壊した抽選券の平面図であり、図４は図３の抽選券のＹ−Ｙ面の断面図である。図５は、本発明による抽選券の一実施例を示す断面図である。図６は、実施例１における抽選券の断面図である。図７は、実施例２における抽選券の断面図である。図８は、実施例３における抽選券の断面図である。図９は、実施例４における抽選券の断面図である。
【００２３】
本発明の抽選券１は、図１の平面図に示すように、抽選部２と絵柄印刷層１７よりなり、この抽選部２は、図１のＸ−Ｘ面の断面図として図２に示すように、基材１１の片面にと低融点金属薄膜層１２と保護層１３が設けられ、他面に抽選情報層１４と反射隠蔽層１５が設けられたものである。図１に示すように抽選部は低融点金属薄膜層があるため、下部の抽選情報を視認することができない。しかし、図３に示すように、サーマルヘッド等による印字によって、下部の抽選情報１６を視認することができる。即ち、低融点金属薄膜層１２は、下方の抽選情報層１４に記録されている情報を隠蔽するものであり、従来のゴム系隠蔽インクを用いた抽選券（くじ）と異なり、金属の融点以上の温度になるようにサーマルヘッド等で加熱することによって隠蔽性を失い、透明基材を介して抽選情報をみることができるようにした抽選券（くじ）である。
【００２４】
抽選情報を印刷した面に金属薄膜層を直接に蒸着法によって設けたり、プライマー層を設けてから蒸着法によって設けたりしても、その層厚が薄いと抽選情報が肉眼で見えてしまい完全な隠蔽が困難であった。
本発明においては、抽選情報と金属薄膜層との間に間隙を設け、抽選情報を暈し肉眼での視認性をなくしたものである。
この間隙としては、約１０μｍ以上を必要とする。本発明においては、厚さ１０μｍ以上の透明基材の片面に低融点金属薄膜層を、また他面に抽選情報層を設けることによって、この間隙を保ち、低融点金属薄膜層の下方にある抽選情報の視認性をなくしたものである。
【００２５】
抽選情報層１４は、抽選に用いられる情報の層である。抽選情報層は、セキュリティ性を高めた蛍光材料と色材からなる偽造防止インクを使用して文字、記号、数字、図形、又は画像の少なくともいずれかが透明基材の低融点金属薄膜層がない側の面に設けられる。抽選情報層が設けられる面は光反射層上の透明基材側に向いた面、あるいは透明基材と光反射層との間に透明層が設けてある時は、その透明層の上下いずれかでもよい。
抽選情報層とは、抽選に用いられる情報がインクによって表示された層を指すが、この透明層が設けてある場合はインクと透明層を合わせて抽選情報層と考えてよい。
【００２６】
本発明による抽選券の製造方法としては、例えば、図２に示すように、透明基材１１の片側に低融点金属薄膜層１２と保護層１３及び印刷層１７を順次設けたシートを作製し、次に、低融点金属薄膜層１２等を設けた面とは反対側に可変情報としての抽選情報層１４を印刷した後、反射隠蔽層１５を印刷又はコーティングによって設け、抽選券とする製造方法が挙げられる。
また、例えば、図５に示すように、反射隠蔽層を１枚の基材２２とし、その上にインクジェットプリンタ等によって可変情報としての抽選情報層１４を印字することで抽選シート２１を作製し、予め用意した、透明基材１１上に低融点金属薄膜層１２と保護層１３と印刷層１７を順次設設けた隠蔽シート２０を貼り合わせる方法がコスト的にも管理的にも有利である。
【００２７】
【実施例】
本発明を、具体的な実施例をあげて詳細に説明する。
【００２８】
＜実施例１＞
図６は、実施例１における抽選券の断面図である。先ず、透明基材１１としてＰＥＴ１８８μｍ上にグラビアコーティング法により接着アンカー層３１（ポリエステル樹脂）を３μｍ設け、その上に低融点金属蒸着層１２として蒸着法によりＳｎ（融点２３０℃）を１００ｎｍの厚さで設けた。
その上に保護層１３として、グラビアコーティング法によりアクリル樹脂（＋ワックス系滑材）を厚さ３μｍで設けた上にグラビア印刷法により所定の柄（宝くじ）の絵柄印刷層１７を設けた。
【００２９】
次に、絵柄印刷層１７などが設けられた透明基材１１の低融点金属蒸着層１２と反対側に、グラビア法によりインクジェット用受像層３２を１５μｍ設けた上に、あらかじめプログラムされたゲームの情報を下記［偽造防止インク１の組成］からなる偽造防止インクを用いてインクジェットプリンターにより逆文字（鏡面文字）にて印字して抽選情報層１４を形成した。
さらに、該抽選情報層上にスクリーン印刷法により銀インク（東洋インキ製造（株）「ＳＳ６Ｋ＋アルミペースト」）を印刷後の膜厚が１０μｍになるように設け反射隠蔽層１５とした。こうして加熱によって不可逆的に情報を開封できる抽選券を得た。
［偽造防止インク１］
カーボンブラック水分散体　　　　　　　　　　　　　３０重量部
蛍光染料　　　　　　　　　　　　　　　　　　　　　２０重要部
スチレン−メタクリル酸共重合体エマルション　　　　１２重量部
エチレングリコール　　　　　　　　　　　　　　　　１５重量部
水　　　　　　　　　　　　　　　　　　　　　　　　１８重量部
ＩＰＡ　　　　　　　　　　　　　　　　　　　　　　　５重量部
【００３０】
＜実施例２＞
図７は、実施例２における抽選券の断面図である。先ず、透明基材１１としてＰＥＴ１８８μｍ上にグラビアコーティング法により接着アンカー層３１（ポリエステル樹脂）を３μｍ設け、その上に低融点金属蒸着層１２として蒸着法によりＳｎ（融点２３０℃）を１００ｎｍの厚さで設けた。
その上に保護層１３として、グラビアコーティング法によりアクリル樹脂（＋ワックス系滑材）を厚さ３μｍで設けた上にグラビア印刷法により所定の柄（宝くじ）の絵柄印刷層１７を設けた。
【００３１】
次に、絵柄印刷層１７などが設けられた透明基材１１の低融点金属蒸着層１２と反対側に、あらかじめプログラムされたゲームの情報を下記［偽造防止インク２の組成］からなる偽造防止インクを用いてインクジェットプリンターにより逆文字（鏡面文字）にて印字して抽選情報層１４を形成した。
次に、該抽選情報層上にスクリーン印刷法により白インク（東洋インキ製造（株）「ＳＳＮＳＡ白」）を印刷後の膜厚が１０μｍになるように設け反射隠蔽層１５とした。更に、該反射隠蔽層上にスクリーン印刷法により銀インク（東洋インキ製造（株）「ＳＳ６Ｋ＋アルミペースト」）を印刷後の膜厚が５μｍになるように設け裏面隠蔽層３３とした。こうして加熱によって不可逆的に情報を開封できる抽選券を得た。
［偽造防止インク２］
フタロシアニン系青顔料水分散体　　　　　　　　　　３５重量部
蛍光染料　　　　　　　　　　　　　　　　　　　　　２０重要部
アクリル樹脂エマルション　　　　　　　　　　　　　１８重量部
エチレングリコール　　　　　　　　　　　　　　　　１０重量部
水　　　　　　　　　　　　　　　　　　　　　　　　１２重量部
ＩＰＡ　　　　　　　　　　　　　　　　　　　　　　　５重量部
【００３２】
＜実施例３＞
図８は、実施例３における抽選券の断面図である。先ず、透明基材１１としてのＰＥＴ２５μｍ上にグラビアコーティング法により接着アンカー層３１（ポリエステル樹脂）を３μｍ設け、その上に低融点金属蒸着層１２として蒸着法によりＳｎ（融点２３０℃）を２００ｎｍの厚さで設けた。
その上に保護層１３として、アクリル樹脂（＋ワックス系滑材）からなる保護層を３μｍ設け、さらに絵柄印刷層１７を設けた。その反対面側にグラビアコーティング法により接着剤層３４としてアクリル樹脂を５μｍ設け、隠蔽シート２０を作製した。
【００３３】
次に、上質紙２３（１３５ｋｇ）にグラビアコーティング法によりインクジェット用受像層３２を１５μｍ塗布し、あらかじめプログラムされたゲームの情報を下記［偽造防止インク３の組成］からなる偽造防止インクを用いてインクジェットプリンターにより正文字にて印字して抽選情報層１４を形成し、抽選シート２１を作製した。
こうして得られた隠蔽シート２０と抽選シート２１をロールプレス機により１４０℃の温度で貼り合わせ、１枚のシートにした。
こうして加熱によって不可逆的に情報を開封できる抽選券を得た。
［偽造防止インク３］
カーボンブラック水分散体　　　　　　　　　　　　　３０重量部
蛍光染料　　　　　　　　　　　　　　　　　　　　　２０重要部
アクリル樹脂エマルション　　　　　　　　　　　　　１５重量部
エチレングリコール　　　　　　　　　　　　　　　　１０重量部
水　　　　　　　　　　　　　　　　　　　　　　　　２０重量部
ＩＰＡ　　　　　　　　　　　　　　　　　　　　　　　５重量部
【００３４】
＜実施例４＞
図９は、実施例４における抽選券の断面図である。先ず、透明基材１１としてのＰＥＴ２５μｍ上にグラビアコーティング法により接着アンカー層３１（ポリエステル樹脂）を３μｍ設け、その上に低融点金属蒸着層１２として蒸着法によりＳｎ（融点２３０℃）を１５０ｎｍの厚さで設けた。
その上に保護層１３として、アクリル樹脂（＋ワックス系滑材）からなる保護層を３μｍ設け、さらに絵柄印刷層１７を設けた。その反対面側にグラビアコーティング法によりインクジェット用受像層３２としてポリエステル樹脂を５μｍ設けた上に、あらかじめプログラムされたゲームの情報を下記［偽造防止インク１の組成］からなる偽造防止インクを用いてインクジェットプリンターにより逆文字（鏡面文字）にて印字して抽選情報層１４を形成し、隠蔽シート２０を作製した。
【００３５】
次に、抽選シートの支持基材２４としてＰＥＴ２５μｍ上にグラビアコーティング法により接着層３４を５μｍ塗布し、接着層３４とは反対側の基材上にスクリーン印刷法により銀インク（東洋インキ製造（株）「ＳＳ６Ｋ＋アルミペースト」）を印刷後の膜厚が１０μｍになるように設け反射隠蔽層１５を形成し、抽選シート２１を作製した。
こうして得られた隠蔽シート２０と抽選シート２１をロールプレス機により１４０℃の温度で貼り合わせ、１枚のシートにした。
こうして加熱によって不可逆的に情報を開封できる抽選券を得た。
［偽造防止インク１］
カーボンブラック水分散体　　　　　　　　　　　　　３０重量部
蛍光染料　　　　　　　　　　　　　　　　　　　　　２０重要部
スチレン−メタクリル酸共重合体エマルション　　　　１２重量部
エチレングリコール　　　　　　　　　　　　　　　　１５重量部
水　　　　　　　　　　　　　　　　　　　　　　　　１８重量部
ＩＰＡ　　　　　　　　　　　　　　　　　　　　　　　５重量部
【００３６】
実施例１乃至４で得られた上記抽選券は十分な隠蔽性をもっており、各種光源による透過光及び反射光に対して抽選情報を完全に目視不可能となっている。こうして製造された抽選券は、例えば、サーマルヘッドによる局所加熱により低融点金属薄膜は溶融破壊され隠蔽性を失い、その抽選情報は透明基材を介して視認できるものとなる。従来のコインで削るタイプのものと異なり、機械によってのみ開封可能であり、不正に開封した後に開封した部分（低融点金属薄膜層の溶融破壊部分）を復元することは極めて困難である。この抽選券は、開封の順序によって価値が異なってくる抽選システムに採用できるものである。
【００３７】
【発明の効果】
本発明により、抽選券を抽選装置にかけて隠蔽性を有する低融点金属薄膜層の所定の一部を加熱により隠蔽性を消失させて抽選に用いる情報を視認可能とする、機械による開封しかできないセキュリティ性の高い、開封する順番で抽選券（くじ）としての価値が変化するようなシステムに適応できる抽選券およびその製造方法を提供することが可能となった。
【図面の簡単な説明】
【図１】本発明による抽選券の一実施例を示す平面図である。
【図２】図１の抽選券のＸ−Ｘ面の断面図である。
【図３】図１の抽選券の低融点金属薄膜層の一部を溶融破壊した抽選券の平面図である。
【図４】図３の抽選券のＹ−Ｙ面の断面図である。
【図５】本発明による抽選券一実施例を示す断面図である。
【図６】実施例１における抽選券の断面図である。
【図７】実施例２における抽選券の断面図である。
【図８】実施例３における抽選券の断面図である。
【図９】実施例４における抽選券の断面図である。
【符号の説明】
１１・・・透明基材
１２・・・低融点金属薄膜層
１３・・・保護層
１４・・・抽選情報層
１５・・・反射隠蔽層
１６・・・溶融破壊後の低融点金属薄膜層の状態
１７・・・絵柄印刷層
２０・・・隠蔽シート
２１・・・抽選シート
２２・・・反射隠蔽性のある基材
２３・・・上質紙
２４・・・抽選シートの支持基材
３１・・・接着アンカー層
３２・・・インクジェット用受像層
３３・・・裏面隠蔽層
３４・・・接着層
【図１】
2004090582.tif 000003
【図２】
2004090582.tif 000004
【図３】
2004090582.tif 000005
【図４】
2004090582.tif 000006
【図５】
2004090582.tif 000007
【図６】
2004090582.tif 000008
【図７】
2004090582.tif 000009
【図８】
2004090582.tif 000010
【図９】
2004090582.tif 000011